(57)【要約】【課題】  表示手段に表示された画像が、車両の左後方及び右後方を撮像した画像であることを把握し易い車両用表示装置を提供する。【解決手段】  撮像手段１は、車両の左後方及び右後方を撮像する。制御手段５５は、左後方画像Ｌ１及び右後方画像Ｒ１を表示手段４に表示させる。制御手段５５は、起動時に、ドアミラーを模した画像Ｐ２を、ドアミラーが開くように表示手段４に表示させる。表示手段４は、左後方画像Ｌ１を表示する第一の表示器２０と、右後方画像Ｒ１を表示する第二の表示器３０とを有する。制御手段５５は、ドアミラーが完全に開いたような画像Ｐ２を所定時間表示させた後、表示手段４の画面全体に、左後方画像Ｌ１及び右後方画像Ｒ１を表示手段４に表示させる。【選択図】  図４
2015178345.tif 000002
【特許請求の範囲】
【請求項１】
表示手段と、車両の左後方及び右後方を撮像する撮像手段と、左後方画像及び右後方画像を前記表示手段に表示させる制御手段と、を備えた車両用表示装置であって、
前記制御手段は、起動時に、ドアミラーを模した画像を、ドアミラーが開くように前記表示手段に表示させることを特徴とする車両用表示装置。
【請求項２】
前記画像は、ドアミラーのハウジング模した枠状画像と、ドアミラーの鏡面を模したミラー状画像と、を有することを特徴とする請求項１に記載の車両用表示装置。
【請求項３】
前記表示手段は、前記左後方画像を表示する第一の表示器と、前記右後方画像を表示する第二の表示器と、を有することを特徴とする請求項１に記載の車両用表示装置。
【請求項４】
前記制御手段は、ドアミラーが開いたような前記画像を所定時間表示させた後、前記表示手段の画面全体に、前記左後方画像及び前記右後方画像を前記表示手段に表示させることを特徴とする請求項１に記載の車両用表示装置。
【請求項５】
前記制御手段は、車両が運転停止されるとき、ドアミラーが閉じるように前記画像を前記表示手段に表示させることを特徴とする請求項１に記載の車両用表示装置。
【発明の詳細な説明】
【技術分野】
【０００１】
本発明は、車両の後方を撮像した画像を表示する車両用表示装置に関するものである。
【背景技術】
【０００２】
従来より、車両の左後方及び右後方を撮像カメラにて監視する車両用表示装置が種々提案されており、例えば特許文献１に開示されている。斯かる車両用表示装置は、前方を向いて車両を運転している車両運転者が直視できない領域を撮像カメラにて撮像し、この撮像カメラで撮像された画像を表示器に表示するものである。
【先行技術文献】
【特許文献】
【０００３】
【特許文献１】特許第５０５１２６３号公報
【発明の概要】
【発明が解決しようとする課題】
【０００４】
しかしながら、車両運転者が、表示器に表示された画像が車両の左後方及び右後方を撮像した画像であることを把握し難いという問題を有していた。つまり、表示器に画像が表示されていても、その画像が車両のどの方向を撮像したものであるのかが判り難かった。
本発明は、この問題に鑑みなされたものであり、表示手段に表示された画像が、車両の左後方及び右後方を撮像した画像であることを把握し易い車両用表示装置を提供するものである。
【課題を解決するための手段】
【０００５】
本発明は、表示手段と、車両の左後方及び右後方を撮像する撮像手段と、左後方画像及び右後方画像を前記表示手段に表示させる制御手段と、を備えた車両用表示装置であって、前記制御手段は、起動時に、ドアミラーを模した画像を、ドアミラーが開くように前記表示手段に表示させるものである。
【０００６】
また、本発明は、前記画像は、ドアミラーのハウジング模した枠状画像と、ドアミラーの鏡面を模したミラー状画像と、を有するものである。
【０００７】
また、本発明は、前記表示手段は、前記左後方画像を表示する第一の表示器と、前記右後方画像を表示する第二の表示器と、を有するものである。
【０００８】
また、本発明は、前記制御手段は、ドアミラーが開いたような前記画像を所定時間表示させた後、前記表示手段の画面全体に、前記左後方画像及び前記右後方画像を前記表示手段に表示させるものである。
【０００９】
また、本発明は、前記制御手段は、車両が運転停止されたとき、ドアミラーが閉じるように前記画像を前記表示手段に表示させるものである。
【発明の効果】
【００１０】
起動時に、ドアミラーを模した画像を、ドアミラーが開くように表示させることにより、表示手段に表示された画像が、車両の左後方及び右後方を撮像した画像であることを把握し易い。
【図面の簡単な説明】
【００１１】
【図１】本発明の実施形態を示すブロック図。
【図２】同上実施形態を示す正面図。
【図３】同上実施形態を示す断面図。
【図４】同上実施形態を示す画像の説明図。
【図５】同上実施形態を示す画像の説明図。
【発明を実施するための形態】
【００１２】
以下、添付図面に基づいて、本発明の一実施形態を説明する。車両用表示装置は、左側撮像カメラ１Ｌ及び右側撮像カメラ１Ｒからなる撮像手段１にて撮像した左後方画像Ｌ１及び右後方画像Ｒ１を車両用計器２の表示手段４に表示するものである。表示手段４は、表示器２０及び表示器３０からなるものである。
【００１３】
左側撮像カメラ１Ｌ，右側撮像カメラ１Ｒは、ＣＣＤイメージセンサ，ＣＭＯＳイメージセンサ等の撮像素子を有するものである。左側撮像カメラ１Ｌは車両の左後方を撮像し、右側撮像カメラ１Ｒは車両の右後方を撮像する。左側撮像カメラ１Ｌ，右側撮像カメラ１Ｒは、車両のドアミラーに配設しても良いし、例えば、車両のフェンダーに配設しても良い。左側撮像カメラ１Ｌによって撮像された左後方画像Ｌ１は、表示器２０に表示される。右側撮像カメラ１Ｒによって撮像された右後方画像Ｒ１は、表示器３０に表示される。左後方画像Ｌ１及び右後方画像Ｒ１は、左右反転されている。
【００１４】
車両用計器２は、表示器１０，２０，３０，回路基板５０，ケース６０，保護パネル部材８０を備えている。表示器１０は、透明電極膜が形成された一対のガラス基板に液晶を封入した液晶セルの前後両面に偏光部材を貼着した液晶表示パネルからなるものであり、例えば車両速度をデジタル表示する。表示器１０は、可撓性配線部材（図示しない）にて回路基板５０に電気的に接続されている。表示器１０は、回路基板５０の前面に搭載された発光素子５１によって透過照明される。表示器１０は、保護パネル部材８０から所定間隔を有するように、上ケース６１に保持されている。
【００１５】
表示器２０，３０は、ＴＦＴ型カラー液晶モジュールからなるものであり、この表示器２０，３０には、左側撮像カメラ１Ｌ，右側撮像カメラ１Ｒによって撮像された左後方画像Ｌ１，右後方画像Ｒ１が表示される。表示器１０は、２個の表示器２０，３０の間に配置される。
【００１６】
回路基板５０は、ガラスエポキシ樹脂からなる基材に銅箔からなる配線パターンを形成したものであり、発光素子５１やマイコン５５が搭載されている。ケース６０は、樹脂（ポリプロピレン等）からなるものであり、上ケース６１と下ケース６２とを有している。
【００１７】
保護パネル部材８０は、無機ガラスからなる透光性基板８１の後面に、遮光層８２を形成したものである。保護パネル部材８０の遮光層８２は、表示器１０の画面を視認可能な矩形の開口８２ａと、表示器２０の画面を視認可能な矩形の開口８２ｂと、表示器３０の画面を視認可能な矩形の開口８２ｃとを有している。保護パネル部材８０は、上ケース６１に固定されている。
【００１８】
表示器２０，３０は、光硬化型の透明接着剤４０にてオプティカルボンディングされており、保護パネル部材８０に密着されている。表示器２０，３０は、透明接着剤４０で保護パネル部材８０に密着されていることにより、外光反射や結露が抑制される。
【００１９】
車両が運転停止状態であるとき、車両運転者により起動スイッチ３（イグニッションスイッチ等）が操作されて、車両用表示装置が起動されると、マイコン５５は、ミラー状画像Ｍ１，枠状画像Ｐ２，背景画像Ｐ３を表示器２０，３０に表示させる。ミラー状画像Ｍ１は、ドアミラーの鏡面を模したものであり、枠状画像Ｐ２の内部に表示される。
【００２０】
枠状画像Ｐ２は、ドアミラーのハウジングを模したものである。枠状画像Ｐ２は、ドアミラーが徐々に開くようなアニメーションで表示される（図４（ａ）〜（ｃ）参照）。このとき、ミラー状画像Ｍ１として、鏡面が瞬間的に光輝くような演出をしても良い。枠状画像Ｐ２の外部には、背景画像Ｐ３が表示される。
【００２１】
次に、マイコン５５は、ドアミラーが完全に開いたような状態の枠状画像Ｐ２を所定時間（例えば１秒）表示する。このとき、枠状画像Ｐ２の内部には、枠状画像Ｐ２の形状でトリミングされた左後方画像Ｌ１，右後方画像Ｒ１が表示される（図４（ｄ）参照）。そして、表示器２０，３０の画面全体に、左側撮像カメラ１Ｌ，右側撮像カメラ１Ｒにて撮像した左後方画像Ｌ１，右後方画像Ｒ１を表示させる（図４（ｅ）参照）。
【００２２】
車両運転中、車両運転者は、表示器２０．３０に表示された左後方画像Ｌ１，右後方画像Ｒ１にて、車両の左後方及び右後方を監視することができる。
【００２３】
再び起動スイッチ３が操作され、車両が運転停止されるとき、マイコン５５は、枠状画像Ｐ２を、ドアミラーが徐々に閉じるようなアニメーションで表示器２０，３０に表示させる（図５参照）。
【００２４】
具体的には、マイコン５５は、ドアミラーが完全に開いたような状態の枠状画像Ｐ２を所定時間（例えば０．５秒）表示する。このとき、枠状画像Ｐ２の内部には、左後方画像Ｌ１，右後方画像Ｒ１が表示されている（図５（ｂ）参照）。そして、枠状画像Ｐ２は、ドアミラーが徐々に閉じるようなアニメーションで表示される（図５（ｃ）〜（ｅ）参照）。このとき、枠状画像Ｐ２の内部には、ミラー状画像Ｍ１が表示される。
【００２５】
本実施形態によれば、車両用表示装置の起動時に、ドアミラーが徐々に開くように枠状画像Ｐ２を表示させることにより、表示手段１に表示された左後方画像Ｌ１，右後方画像Ｒ１が、車両の左後方及び右後方を撮像した画像であることを把握し易くなる。なお、ドアミラーが徐々に開くように枠状画像Ｐ２を表示させているときに、必ずしもミラー状画像Ｍ１を表示させる必要はなく、例えば、枠状画像Ｐ２の内部は、単色表示であっても良い。
【００２６】
なお、本発明は、本実施形態に限定されるものではなく、種々の変形が可能であり、例えば、本実施形態は、左側撮像カメラ１Ｌ，右側撮像カメラ１Ｒで撮像した左後方画像Ｌ１，右後方画像Ｒ１を夫々表示器２０，３０に表示させるものであったが、左後方画像Ｌ１，右後方画像Ｒ１を１個の表示器に表示させても良い。
【００２７】
また、本実施形態は、ドアミラーが完全に開いた状態を所定時間表示した後、表示器２０，３０の画面全体に、撮像手段１にて撮像した左後方画像Ｌ１，右後方画像Ｒ１を表示させるものであったが、枠状画像Ｐ２を表示させ続けても良い。また、本実施形態は、ドアミラーが徐々に開くように枠状画像Ｐ２を表示させているときに、枠状画像Ｐ２の内部にミラー状画像Ｍ１を表示させるものであったが、枠状画像Ｐ２の内部に、左後方画像Ｌ１，右後方画像Ｒ１を表示させても良い。
【符号の説明】
【００２８】
１    撮像手段
１Ｌ  左側撮像カメラ
１Ｒ  右側撮像カメラ
４    表示手段
２０  表示器（第一の表示器）
３０  表示器（第二の表示器）
５５  マイコン（制御手段）
Ｌ１  左後方画像
Ｒ１  右後方画像
Ｍ１  ミラー状画像
Ｐ２  枠状画像
【図１】
2015178345.tif 000003
【図２】
2015178345.tif 000004
【図３】
2015178345.tif 000005
【図４】
2015178345.tif 000006
【図５】
2015178345.tif 000007